(57)【要約】【課題】スクロール動作中に表示領域や表示領域中の文字サイズを変更することにより、所望する目標ポイントを通り過ぎることなく、確実に目標ポイントを選択可能なスクロール表示装置を提供すること。【解決手段】複数の項目データを一覧表示する表示手段と、操作信号を出力する操作手段とを備え、前記操作手段により出力された操作信号に基づいて前記複数の項目データをスクロールさせ、そのスクロール中に当該項目データの表示領域を拡大する。【選択図】図１
2007094978.tif 000002
【特許請求の範囲】
【請求項１】
複数の項目データを一覧表示する表示手段と、
操作信号を出力する操作手段と、
前記操作手段により出力された操作信号に基づいて前記複数の項目データをスクロールさせ、そのスクロール中に当該項目データの表示領域を拡大する表示制御手段と、
を備えることを特徴とする表示装置。
【請求項２】
前記表示制御手段により拡大する表示領域は、選択対象の項目データの表示領域であることを特徴とする請求項１に記載の表示装置。
【請求項３】
前記操作手段は、複数の前記操作信号を出力可能な多段タクトキーであることを特徴とする請求項１又は２に記載の表示装置。  
【請求項４】
前記操作手段は、複数の前記操作信号を出力可能な光学検出キーであることを特徴とする請求項１又は２に記載の表示装置。
【請求項５】
前記操作手段は、少なくとも二段階の入力操作が可能であり、
前記表示制御手段は、前記操作信号が第１の段階である場合に、第１の拡大倍率により前記表示領域を拡大し、
前記操作信号が第２の段階である場合に、第２の拡大倍率により前記表示領域を拡大することを特徴とする請求項１から４の何れか一項に記載の表示装置。
【請求項６】
前記第２の拡大倍率は、前記第１の拡大倍率より大きいことを特徴とする請求項５に記載の表示装置。
【請求項７】
前記表示制御手段は、前記表示領域を拡大するとともに当該表示領域に表示する文字サイズを拡大することを特徴とする請求項１から６の何れか一項に記載の表示装置。
【請求項８】
前記表示制御手段は、前記表示領域を拡大するとともに当該表示領域に表示する文字数を多くすることを特徴とする請求項１から７の何れか一項に記載の表示装置。
【請求項９】
複数の項目データを一覧表示する表示ステップと、
操作信号を出力する操作ステップと、
前記操作ステップにより出力された操作信号に基づいて前記複数の項目データをスクロールさせ、そのスクロール中に当該項目データの表示領域を拡大する表示制御ステップと、
を含むことを特徴とする表示方法。
【請求項１０】
多段階に分けて操作を入力する入力手段と、複数の項目データをスクロール表示する表示制御手段とを有する表示装置を制御するコンピュータに、
前記入力手段から操作信号を取得する機能と、
前記操作信号に基づいて、前記複数の項目データをスクロールさせ、そのスクロール中に当該項目データの表示領域の拡大をする機能と、
を実現させることを特徴とする表示プログラム。
【発明の詳細な説明】
【技術分野】
【０００１】
本発明は、表示装置、表示方法及び表示プログラムに関する。
【背景技術】
【０００２】
近年、携帯電話やオーディオプレーヤー等の携帯型電子機器が多く普及している。これらの携帯型電子機器は、技術の進歩とともに、より軽量化、小型化になってきている。軽量化、小型化が進むと、必然的に表示画面が小さくなるが、表示画面に表示される情報の閲覧のし易さや、操作性は、従来以上に要求される。さらに、上記機器に内蔵される半導体メモリやハードディスク等の容量も飛躍的に増大し、例えばハードディスクを使用したオーディオプレーヤーにおいては、数千〜数万の音声データが格納可能である。これらをスクロールにより検索する場合、例えば、ジャンル等のクループ分けをした音声データのスクロール検索を行っても、膨大な数の音声データをスクロールすることとなるため、スクロールの高速化に加えて視認性も要求される。
【０００３】
最近では、表示される文字フォントサイズや言語によって、スクロール時間やスクロール方向を変える表示装置が開示されている（特許文献１、参照）。特許文献１の表示装置によると、例えば表示された言語が日本語であり、縦書きの文章である場合は、スクロール方向を縦方向に切り替える。英語による表示であれば、スクロール方向を横方向に切り替えるのである。
【特許文献１】特開平１０−２７４９５２号公報
【発明の開示】
【発明が解決しようとする課題】
【０００４】
しかしながら、従来の表示装置では、言語や文字フォントサイズによってスクロール方向やスクロール時間は変更されるが、表示領域や文字フォントサイズを変化させることはできない。従って、従来の表示領域サイズ又は表示文字サイズのままスクロールを行うと、スクロール速度によっては、表示項目の視認が容易ではなく、目標ポイントを確実に選択できず、複数回の操作を要する場合が多いという問題があった。
【０００５】
本発明は、上述した課題に鑑みてなされたものであり、スクロール動作中に表示領域や表示領域中の文字サイズを変更することにより、所望する目標ポイントを通り過ぎることなく、確実に目標ポイントを選択可能なスクロール表示装置を提供することである。
【課題を解決するための手段】
【０００６】
上記課題を解決するために、請求項１に記載の発明は、複数の項目データを一覧表示する表示手段と、操作信号を出力する操作手段と、前記操作手段により出力された操作信号に基づいて前記複数の項目データをスクロールさせ、そのスクロール中に当該項目データの表示領域を拡大する表示制御手段とを備えることを特徴としている。
【０００７】
請求項２に記載の発明は、請求項１に記載の表示装置において、前記表示制御手段により拡大する表示領域は、選択対象の項目データの表示領域であることを特徴としている。
【０００８】
請求項３に記載の発明は、請求項１又は２に記載の表示装置において、前記操作手段は、複数の前記操作信号を出力可能な多段タクトキーであることを特徴としている。
【０００９】
請求項４に記載の発明は、請求項１又は２に記載の表示装置において、前記操作手段は、複数の前記操作信号を出力可能な光学検出キーであることを特徴としている。
【００１０】
請求項５に記載の発明は、請求項１から４の何れか一項に記載の表示装置において、前記操作手段は、少なくとも二段階の入力操作が可能であり、前記表示制御手段は、前記操作信号が第１の段階である場合に、第１の拡大倍率により前記表示領域を拡大し、前記操作信号が第２の段階である場合に、第２の拡大倍率により前記表示領域を拡大することを特徴としている。
【００１１】
請求項６に記載の発明は、請求項５に記載の表示装置において、前記第２の拡大倍率は、前記第１の拡大倍率より大きいことを特徴としている。
【００１２】
請求項７に記載の発明は、請求項１から６の何れか一項に記載の表示装置において、前記表示制御手段は、前記表示領域を拡大するとともに当該表示領域に表示する文字サイズを拡大することを特徴としている。
【００１３】
請求項８に記載の発明は、請求項１から７の何れか一項に記載の表示装置において、前記表示制御手段は、前記表示領域を拡大するとともに当該表示領域に表示する文字数を多くすることを特徴としている。
【００１４】
請求項９に記載の発明は、複数の項目データを一覧表示する表示ステップと、操作信号を出力する操作ステップと、前記操作ステップにより出力された操作信号に基づいて前記複数の項目データをスクロールさせ、そのスクロール中に当該項目データの表示領域を拡大する表示制御ステップとを含むことを特徴としている。
【００１５】
請求項１０に記載の発明は、多段階に分けて操作を入力する入力手段と、複数の項目データをスクロール表示する表示制御手段とを有する表示装置を制御するコンピュータに、  前記入力手段から操作信号を取得する機能と、前記操作信号に基づいて、前記複数の項目データをスクロールさせ、そのスクロール中に当該項目データの表示領域の拡大をする機能とを実現させることを特徴としている。
【発明の効果】
【００１６】
本発明によれば、スクロール動作中に表示領域や表示領域中の文字サイズを拡大して表示することにより、所望する目標ポイントを通り過ぎることなく、確実に目標ポイントを選択可能なスクロール表示装置を実現できる。また、表示領域を拡大して表示することにより、表示領域に表示可能な情報量が増加し、詳細な検索が可能となる。さらに、表示領域を拡大しつつ、表示領域中の文字サイズを拡大することにより、スクロール中であっても表示される情報を確実に視認することができ、高速スクロール中の確実な検索が可能である。これらのことにより、機器の小型化によって大きさの制限された表示部においても、スクロール時の視認性を良くすることができる。また、記憶部容量増大に対応する高速スクロール時においても、スクロール時の視認性を良くすることが可能となる。
【発明を実施するための最良の形態】
【００１７】
以下、図を参照して、本実施形態について詳細に説明する。
【００１８】
図１は、本発明のスクロール表示装置としての携帯型音声再生装置（以下、オーディオプレーヤー）１の概略構成を示す正面図である。図１に示すように、オーディオプレーヤー１には、筐体２と、筐体２の上部に配置されて各種情報を表示する表示手段として表示部２２と、筐体２の下部に配置されて各種操作が入力される入力手段として操作部３が設けられている。
【００１９】
表示部２２には、例えば、楽曲の分類するジャンル名、アルバム名、アーティスト名及びトラック名（曲名）等の項目データが表示される。これらの項目データは、アーティスト名をジャンル毎、アルバム名をアーティスト毎、トラック名をアルバム毎に分類して記憶することで、ジャンル名、アルバム名、アーティスト名、トラック名といった順に階層化されて管理される。
【００２０】
ユーザは、例えば、ジャンル名が一覧表示されるジャンル画面上で所望のジャンル名を選択すると、そのジャンルに分類されたアーティスト名がアーティスト画面上に一覧表示される。そして、所望のアーティスト名を選択すると、そのアーティストのアルバム名の一覧が表示され（アルバム画面）、アルバム名を選択すると、そのアルバムのトラック名が一覧表示される（トラック画面）。ユーザは、トラック画面で一覧表示されたトラック名から所望のトラック名を選択することで、そのトラックの楽曲の再生を開始させる。
【００２１】
操作部３は、ユーザの押圧操作による二段階の押圧力を検知可能な二段階タクトキーにより構成される５つの操作キー３０を備え、これらの操作キー３０が図１に示すように十字上に配列されて筐体２に備えられる。ユーザは、操作キー３０を浅く（軽く）押圧する「浅押し」と、深く（強く）押圧する「深押し」との２つの押圧操作でオーディオプレーヤー１を操作する。
【００２２】
図２は、操作キー３０の概略構成を示す図である。図２（ａ）は側断面図、（ｂ）は、下面図である。この、図２（ａ）及び（ｂ）に示すように、操作キー３０には、筐体２内の基板４から立設する立設部２３と、立設部２３により支持された状態で、指等で押圧されることにより撓む押圧部２４と、押圧部２４の下面から下方に向けて延在し、押圧部２４の撓みに連動して、基板４上の接点群４１に接離する接離部２５とが設けられている。
【００２３】
接離部２５は、円柱状でなおかつその下部が球面状となるように、例えば、ゴム等の弾性体で形成されている。接離部２５の下面には、誘電体が被膜されていて導電体層２６が形成されている。
【００２４】
図２（ｃ）は、接点群４１の配置パターンの一例を示す上面図である。図２に示すように、接点群４１は点状のＩＮ接点４２と、ＩＮ接点４２を中心とした多重の円弧状のＯＵＴ接点４３とから構成されている。ここで、押圧部２４ご押圧されて撓むと、その撓みによって接離部２５の導電体層２６が基板４上に接触し、その後接離部２５は収縮して徐々に接触面積を増加する。このとき、接離部２５の導電体層２６がＩＮ接点４２と最内のＯＵＴ接点４３１と接触しこれらを導通させると、電圧値Ａ値の指示信号が出力される。そして、押圧部２４に対する押圧力が強くなって、導電体層２６がＩＮ接点４２と最内のＯＵＴ接点４３１及びその他のＯＵＴ接点４３２とに接触しこれらを導通させると、電圧値Ａ値よりも大きいＢ値の指示信号が出力される。つまり、操作キー３０は、ユーザに浅押しされると、電圧値Ａ値の操作信号を出力し、深押しされると電圧値Ｂ値の操作信号を出力して、各押圧操作押圧力に応じた操作信号を出力することとなる。
【００２５】
なお、以下の説明において、図１における上側に配置された操作キー３０を上キー３１と、下側に配置された操作キー３０を下キー３２と、左側に配置された操作キー３０を左キー３３と、右側に配置された操作キー３０を右キー３４と、中央に配置された操作キー３０を中央キー３５と称す。
【００２６】
この上キー３１及び下キー３２は、表示部２２に一覧表示中のカーソルを上下方向に移動させるためのキーとして機能し、右キー３４は、カーソルで選択した項目データの選択を決定するキー、左キー３３は、直前の画面表示に戻すためのキー、中央キー３５は、選択されたトラックの再生を開始するためのキーとしてそれぞれ機能する。
【００２７】
図３は、オーディオプレーヤー１の主要部構成の一例を示すブロック図である。図に示すように、オーディオプレーヤー１は、各機能部を制御する制御部１０が設けられており、当該制御部１０には、記憶部２１、表示部２２及び操作部３が電気的に接続されている。
【００２８】
制御部１０は、割り込みコントローラ１１、通信部１２、音声処理部１３、Ａ／Ｄ変換器１５、Ｄ／Ａ変換器１４、ＣＰＵ１８、ＲＯＭ１６及びＲＡＭ１７とを備えて構成される。
【００２９】
割り込みコントローラ１１は、操作部３の各操作キー３０とＣＰＵ１８とに電気的に接続されている。割り込みコントローラ１１は、操作部３から操作信号が出力されたことを検出るると、当該操作信号をＣＰＵ１８に出力してＣＰＵ１８が実行中の処理を割り込む。
【００３０】
通信部１２は、音声データを管理するＰＣ（Personal Computer）等の外部機器とのデータ通信を行うためのインターフェイスであり、例えば、ＵＳＢ等により構成される。通信部１２は、外部機器にケーブルを介して接続されることで当該外部機器と通信し、ＣＰＵ１８及び記憶部２１に通信で取得した信号を出力する。具体的には、外部機器で管理される音声データを取得して、記憶部２１に転送して記憶させたり、外部機器からの制御信号（制御データ）をＣＰＵ１８に転送したりする。
【００３１】
音声処理部１３は、ＣＰＵ１８の制御に基づいて音声データの伸長・圧縮を行う機能部であり、例えば、ＤＳＰ（Digital Signal Processor）等により構成される。具体的には、記憶部２１に記憶された音声データを伸長して、当該音声データをデジタル信号で再生し、Ａ／Ｄ変換器１５に出力する。また、入力端子２０を介して入力された音声データを所定の圧縮形式にて圧縮し、記憶部２１に記憶させる。
【００３２】
Ｄ／Ａ変換器１４は、音声処理部１３により再生された音声データをアナログ信号に変換し、出力端子１９を介して出力することで、出力端子１９に接続されたスピーカやヘッドホン等の音声出力機器（図示省略）から音声データを出力させる。
【００３３】
Ａ／Ｄ変換器１５には、例えば、ＣＤプレイヤーやＭＤプレイヤー、マイクなどの外部の音声再生装置が入力端子２０を介して接続される。Ａ／Ｄ変換器１５は、音声再生装置から入力されたアナログ音声信号をデジタルデータに変換して、音声処理部１３に出力する。
【００３４】
ＣＰＵ１８は、入力される指示に応じて、所定のプログラムに基づいた処理を実行し、各機能部への指示やデータの転送を行う中央演算装置である。具体的にＣＰＵ１８は、操作部３０から入力される入力信号に応じて、ＲＯＭ１６に格納されたプログラムを読み出し、当該プログラムに従った処理を実行する。そして、処理結果を表示するための表示データを表示部２２に出力して、当該表示データに従った表示画面を表示部２２に表示させる。また、ＣＰＵ１８は入力された操作信号を判別する判別手段としての機能を有する。
【００３５】
ＲＡＭ１７は、ＣＰＵ１８によって実行される各種プログラムをプログラム格納エリアに展開する。ＲＡＭ１７は、各種プログラムの実行時に生じる処理結果等のデータをワークエリアに一時的に記憶する。
【００３６】
ＲＯＭ１６は、オーディオプレーヤー１の動作に係る各種機能を実現するためのプログラムを記憶する。具体的には、各種初期設定、ハードウェアの検査、又は、必要なプログラムのロード等を行うための初期プログラムやアプリケーションプログラム等を格納する。従って、これらのプログラムは、書き換える必要のないプログラムや、書き換えてはいけないプログラムである。
【００３７】
記憶部２１は、ＨＤＤ（ハードディスク）や半導体メモリ等により構成され、楽曲毎の音声データと、当該音声データの付帯情報（例えば、ジャンル名、アーティスト名、アルバム名等）を関連付けて記憶している。この音声データは、例えば、ＭＰ３（MPEG Audio Layer-3）形式やＡＡＣ（Advanced Audio Coding）等の音声圧縮形式に基づいて圧縮された音声データである。
【００３８】
また、記憶部２１は、ジャンルの一覧や、アーティスト名の一覧、アルバム名の一覧、トラック名の一覧を表示するためのリストデータを記憶する。このリストデータは、音声データを外部機器や音声再生装置からダウンロードする際に、ＣＰＵ１８がその音声データの付帯情報に基づいて生成したり、外部機器により予め生成されたものを音声データと共にダウンロードする。
【００３９】
表示部２２は、ＣＰＵ１８から入力される表示データに基づいて各種画面を表示する表示装置であり、ＬＣＤ（Liquid Crystal Display）やＥＬＤ（Electro Luminescence Display）等により構成される。
【００４０】
操作部キー３０は、押圧力に対応して少なくとも２種類の指示信号を出力するようになっている。２種類の指示信号を送信するための操作としては、具体的に、浅く押下する操作と深く押下する操作である。従って、操作部３の回路は切り替えスイッチを２つ備えて構成される（スイッチＳ１、Ｓ２；図示省略）。
【００４１】
まず、操作キー３０の上キー３１又は下キー３２が押下されると、接離部２５の導電体層２６がＩＮ接点４２と最内のＯＵＴ接点４３１と接触し、スイッチＳ１がＯＮの状態となる。これは、操作キー３０を浅く押下した場合の動作である。この操作によりスイッチＳ１がＯＮ状態になると、電圧値Ａ値の指示信号がＣＰＵ１８へ出力される。ＣＰＵ１８は、この指示信号を受信すると、スクロールを開始する。本実施形態に係るオーディオプレーヤー１のスクロール機能では、選択項目をハイライト表示すると共に、予め設定された拡大倍率に、選択項目の表示領域を拡大する。
【００４２】
そして、更にその状態から操作キー３０を深く押下すると、導電体層２６がＩＮ接点４２と最内のＯＵＴ接点４３１及びその他のＯＵＴ接点４３２と接触することにより、スイッチＳ１からスイッチＳ２に切り替える制御が実行され、スイッチＳ１がＯＦＦとなる。スイッチＳ２がＯＮの状態となると、電圧値Ａ値よりも大きいＢ値の指示信号がＣＰＵ１８へ出力される。ＣＰＵ１８は、この指示信号を受信すると、更に大きい拡大倍率により、選択項目の表示領域を拡大する。
【００４３】
なお、スクロール動作は上下方向に限らず、左右方向にも可能である。従って、右キー３４又は左キー３３押下時も同様の処理を実行する。
【００４４】
また、電圧値の出力信号をカウントすることにより実行される処理はスクロール速度の変更に限られない。スクロールに伴って実行される、表示領域の拡大処理も同様に、出力信号をカウントすることにより実行される（後述）。
【００４５】
図４は、押下操作によるスクロール速度の変化を示す図である。なお、以下、一段階目の押下操作を浅押し、二段階目の押下操作を深押しとして説明する。従って、押下操作開始と共に深押しが行われた場合は、一段階目を越えて二段階目の押下操作であるため、電圧値Ｂ値の出力回数のカウントアップが実行されることとなる。
【００４６】
図において、Ｖａは、操作キー３０を浅押しした場合、つまり出力される電圧値がＡ値である場合におけるスクロール速度の最高値であり、Ｖｂは、操作キー３０を深押した場合、つまり出力される電圧値がＢ値である場合におけるスクロール速度の最高値である。また、Ｐ１は操作キー３０を浅押しした開始ポイントであり、Ｐ２は、操作キー３０を深押しした開始ポイントであるとする。そして、Ｐ３は、深押しから浅押しに操作が変更された場合の開始ポイントである。
【００４７】
図に示すように、まず、操作キー３０が浅押しされると、ＣＰＵ１８はその押下信号を受信し、スクロール処理を開始する。そして、徐々にスクロール速度を上げていき、予め設定されている速度Ｖａに達すると、押下され続ける間は速度Ｖａを保った状態でスクロールを実行する。例えば、この時点で、操作が中断されると、スクロールを停止する。
【００４８】
ここで、徐々に速度を上げていく処理方法について説明する。継続的に操作キー３０の浅押しが行われた場合、ＣＰＵ１８には出力電圧値Ａによる信号が連続的に送信される。従って、ＣＰＵ１８は、Ａ値の出力信号をカウントアップすることにより、その回数に基づいて徐々にスクロール速度を上げる処理を行う。本実施形態では、図に示すように、カウントアップ２回毎にスクロール速度を上げる処理を実行する。なお、スクロール速度を上げるタイミングである、カウントアップの回数はこれに限定されない。
【００４９】
カウントアップ２回毎にスクロール速度を上げていき、予め設定された浅押し時の最高速度Ｖａに達すると、カウントアップ処理を終了する。そして、ＣＰＵ１８は、次の操作信号を受信するまで、速度Ｖａにてスクロール処理を継続する。
【００５０】
そして、速度Ｖａによるスクロール処理継続中に、操作キー３０の深押しが行われると、浅押しの場合と同様に、予め設定された深押し操作によるスクロール最高速度Ｖｂに達するまで、徐々にスクロール速度を上げていく。深押しの場合に出力される電圧値Ｂは、浅押しの場合に出力される電圧値Ａよりも大きい値となる。
【００５１】
浅押しの場合と同様に、継続的に操作キー３０の深押しが行われた場合、ＣＰＵ１８には出力電圧値Ｂによる信号が連続的に送信される。従って、ＣＰＵ１８は、Ｂ値の出力信号をカウントアップすることにより、その回数に基づいて徐々にスクロール速度を上げる処理を行う。本実施形態では、浅押しの場合と同様に、カウントアップ２回毎にスクロール速度を上げていく構成としたが、これに限定されない。
【００５２】
カウントアップ２回毎にスクロール速度をあげていき、予め設定された深押し時の最高速度Ｖｂに達すると、カウントアップ処理を終了する。そして、ＣＰＵ１８は、次の操作信号を受信するまで、速度Ｖｂにてスクロール処理を継続する。
【００５３】
そして、速度Ｖｂによるスクロール処理継続中に、深押しから浅押しへ入力操作の変更が行われると、浅押し時におけるスクロール最高速度Ｖａまで速度を減速させる。この場合、急激に速度Ｖａに減速するのではなく、速度を上げる場合と同様に、カウントアップ２回毎に徐々に減速し、速度Ｖａまで減速させる処理を実行する。なお、Ｐ３において、深押しから浅押しへの操作ではなく、完全に入力操作を停止した場合は、スクロールを即座に停止させる。
【００５４】
以上のように、操作キー３０を浅押し、深押しの二段階に分けて操作するだけで、スクロール速度を異なる段階の速度まで徐々に加速させることができることにより、複数操作をする必要がなく、ユーザの手間を省くことができる。また、操作キー３０の浅押し、深押しを繰り返すことにより、スクロール速度の減速、加速を自由に調整することができることにより、例えば、アルバム名の選択を行う際に、所望するアルバム名の選択を素早く行うことが可能となる。
【００５５】
また、操作キー３０を浅押しすることによりスクロールを開始させるが、操作キー３０押下時から、瞬時にスクロール固定速度に達するのではなく、徐々に加速するため、スクロール開始ポイントから、程近い目標ポイントまでのスクロール動作において、目標ポイントを通り過ぎてしまう等の問題を回避することが可能となる。
【００５６】
さらに、スクロール最高速度を二段階に分けることにより、目標ポイントの位置によって速度変更可能であるため、例えば、情報量が多い場合でも、曲の選択や、アーティストの選択を素早く、正確に行うことが可能となる。
【００５７】
図５は、図１のオーディオプレーヤー１の操作部の多段タクトキーが光学検出キーの場合における概略構成図であり、図６は、操作部３の概略構成を表す説明図である。同様の部位には同様の符号を付し、説明は省略する。
【００５８】
操作部３は、その表面が覆われることにより操作信号を出力する光学検出部（光学検出キー）である。図５及び図６に示すように、操作部３は、例えば、幅方向に沿って、複数の指示にそれぞれ対応するように複数の範囲が設定されている。なお、操作部３は上下方向に沿って形成されていてもよい。各範囲を設定部５０とすると、各設定部５０には表面上にレンズ６１が配置されている。そして各レンズ６１の内部には、発光素子６２及び受光素子６３が対になって配置されており、例えば、指などが各レンズ６１上を覆った際に、発光素子６２からの光が指に反射して受光素子６３に入射すると、受光素子６３は操作信号を出力する。受光素子６３から出力された操作信号は、受光ドライバ（図示省略）を介して制御部へ出力される。
【００５９】
光学検出キーである操作部３を操作することにより実行される動作は、多段タクトキーと同様である。多段タクトキーは、押下操作によりスクロール速度が加速し、浅押しから深押しへ変更すると、スクロール速度が更に速くなる構成であった。光学検出キーの場合は、前記各設定部を覆うことによる操作信号の出力に基づいて、スクロール速度を制御する。
【００６０】
次に、図７に、スクロール処理時に表示される表示画面の一例を示す。図７（ａ）は、縦方向にスクロールする場合の表示画面の一例であり、（ｂ）は、横方向にスクロールする場合の表示画面の一例である。
【００６１】
図に示すように、キー入力操作が無い場合、つまり、非スクロール時の標準状態に表示画面に表示される項目数を、例えば、７個とし、選択される項目はハイライト表示されるとする。そして、深押し又は浅押しによる操作が行われた場合、表示個数を標準的な表示状態からｘ項目減らし、ハイライトが当たっている項目表示枠を拡大して表示する。本実施形態の場合は、非スクロール時には７項目である表示を６項目表示とし、上下方向のスクロール時については、ハイライトの項目の領域を縦方向に２倍にすることで、ハイライト表示領域を拡大する（図７（ａ）スクロール時）。また、左右方向のスクロール時も同様に、表示項目数を６項目とし、ハイライト項目の領域を横方向に２倍にすることで、ハイライト項目表示枠（以下、表示領域）を拡大する（図７（ｂ）スクロール時）。
【００６２】
ここで、表示領域拡大処理について説明する。上述したように、スクロール動作では、押下操作により出力される電圧値の出力信号をカウントすることにより、スクロール速度の変更処理を行う。表示領域拡大処理においても、同様に、出力信号をカウントすることにより表示領域の拡大を行う。スクロール処理においては、操作キー３０が浅押しであるか、深押しであるかによる出力電圧値の違いによって、スクロール時の最高速度を変える構成とした。表示領域の拡大処理では、出力電圧値によって、拡大する倍率を変化させる構成とする。
【００６３】
具体的には、操作キー３０の浅押し操作が行われると、電圧値Ａ値の指示信号がＣＰＵ１８へ出力される。オーディオプレーヤー１の記憶部２１には、予め電圧値Ａ値が出力された場合に拡大表示する拡大倍率が設定されている。ＣＰＵ１８は、浅押し操作信号を受信すると、Ａのカウントアップを開始するか否かを判定し、受信した出力信号の電圧値がＡ値である場合には、Ａのカウントアップを開始する。このときにカウントする係数を表示係数Ａ´とする。ＣＰＵ１８は、表示係数Ａ´のカウントアップ中は、当該拡大倍率により表示領域を拡大して表示する。
【００６４】
一方、受信した出力信号の電圧値がＢ値である場合には、深押し操作であることが確認できるため、記憶部２１に予め設定されている深押し時の表示領域拡大倍率を読み出し、深押し操作中は、当該拡大倍率にて表示領域を拡大して表示する。このときカウントアップする係数を表示係数Ｂ´とする。
【００６５】
この表示領域拡大処理は、本発明のスクロール処理と併用して実行される場合と、通常のスクロール処理と併用して実行される場合とがある。本発明のスクロール処理と併用して実行する場合は、浅押し操作により、徐々にスクロール速度がＶａに向けて加速すると共に、表示領域を予め表示係数Ａ´に設定された倍率に拡大して表示する。そして、さらに操作キー３０が押下されることにより、深押し操作へ移行すると、スクロール速度はＶｂに向けて徐々に加速する。このとき、浅押しの場合と同様に、表示領域を予め表示係数Ｂ´に設定された倍率に拡大して表示する。
【００６６】
通常のスクロール処理、つまり、スクロール速度を加速しない場合に併用する際は、浅押しと深押しの場合で、表示領域拡大の倍率のみを変化させる。従って、キー押下操作の二段階による切り替えは、表示領域拡大倍率の変更操作指示として機能する。なお、スクロール速度を変化させるか否かの選択及びハイライト表示領域を拡大変更するか否かの選択は、ユーザにより設定可能であるとする。また、表示項目数は７個に限られず、ハイライト項目の拡大は標準時の２倍としたがこれに限定されない。さらに、拡大する項目は領域に限られず、領域拡大と共に、文字サイズを拡大する処理を行うとしてもよい。
【００６７】
なお、光学検出キーの場合も同様である。前記各設定部を覆うことによる操作信号の出力に基づいて表示領域の倍率を制御する。
【００６８】
また、拡大される項目は表示領域に限らず、文字サイズを拡大することも可能であるため、所望する項目の選択がよりし易く、素早く選択することが可能となる。
【００６９】
図８のフローチャートを参照して、操作キー３０が押下された場合にオーディオプレーヤー１で実行される処理について説明する。
【００７０】
まず、オーディオプレーヤー１のシステム全体が待機状態であるか否かを判定する（ステップＳ１）。ステップＳ１において、オーディオプレーヤー１のシステム全体が待機状態ではないと判定すると（ステップＳ１；ＮＯ）、再度、ステップＳ１の判定を繰り返す。
【００７１】
ステップＳ１において、オーディオプレーヤー１のシステム全体が待機状態であると判定すると（ステップＳ１；ＹＥＳ）、電圧値の取得回数のカウントをクリアにすることによりデータを初期化する（ステップＳ２）。ステップＳ２において、電圧値の取得回数のカウントをクリアにすることによりデータの初期化を実行すると、キー入力操作信号を受信したか否かを判定する（ステップＳ３）。
【００７２】
ステップＳ３において、キー入力操作信号を受信していないと判定すると（ステップＳ３；ＮＯ）、再度、ステップＳ１に戻り、ステップＳ１〜Ｓ３の処理を繰り返す。ステップＳ３において、キー入力操作信号を受信したと判定すると（ステップＳ３；ＹＥＳ）、キー入力操作により出力される電圧値がＡ値であるか否か、つまり、キー入力操作がキーの浅押しであるか否かを判定する（ステップＳ４）。
【００７３】
ステップＳ４において、キー入力操作により出力される電圧値がＡ値である、つまり、キー入力操作がキーの浅押しであると判定すると（ステップＳ４；ＹＥＳ）、Ａ値の取得回数のカウントアップを開始する（ステップＳ５）。
【００７４】
一方、ステップＳ４において、キー入力操作により出力される電圧値がＡ値ではない、つまり、キー入力操作がキーの浅押しでないと判定すると（ステップＳ４；ＮＯ）、入力されたキー操作は、キーの深押しであると確定できるため、Ｂ値の取得回数のカウントアップを開始する（ステップＳ６）。
【００７５】
ステップＳ５において、Ａ値の取得回数のカウントアップを開始すると、カウント回数により、スクロール速度又は表示領域の変更処理を実行する（ステップＳ７）。
【００７６】
一方、同様に、ステップＳ６において、Ｂ値の取得回数のカウントアップを開始すると、カウント回数により、スクロール速度又は表示領域の変更処理を実行する（ステップＳ７）。
【００７７】
次に、図９のフローチャートを参照して、Ａ値又はＢ値の出力信号取得回数による、スクロール速度又は表示領域の変更処理について説明する。
【００７８】
まず、ステップＴ１において、スクロール速度変更をするか否かを判定する（ステップＴ１）。このスクロール速度変更に伴う設定は、予めユーザにより行われるものとする。従って、スクロール速度を変更する設定である場合は、上述したように、スクロール処理が実行される。スクロール速度を変更する設定がされていない場合は、通常のスクロール機能と同様に、一定の速度でのスクロールが実行されるのである。
【００７９】
従って、ステップＴ１において、スクロール速度を変更しないと判定する、つまり、スクロール速度変更設定がＯＦＦである場合（ステップＴ１；ＮＯ）、ハイライトの表示領域を拡大変更するか否かを判定する（ステップＴ２）。ステップＴ２において、ハイライトの表示領域を変更しないと判定すると（ステップＴ２；ＮＯ）、出力信号取得回数によるスクロール速度又は表示領域の変更処理を終了し、通常の一定速度でのスクロール処理を行う。
【００８０】
ハイライトの表示領域を拡大させるか否かの設定は、スクロール速度変更設定と同様に、ユーザにより自由に設定可能であるとする。従って、スクロールの際に、表示領域を拡大する必要が無い場合は、表示領域変更設定をＯＦＦに設定する。
【００８１】
一方、ステップＴ１において、スクロール速度変更をすると判定する、つまり、スクロール速度変更設定がＯＮである場合（ステップＴ１；ＹＥＳ）、Ａ値の出力信号取得回数のカウントアップを開始するか否かを判定する（ステップＴ３）。ステップＴ３において、Ａ値の取得回数のカウントアップを開始すると判定すると（ステップＴ３；ＹＥＳ）、Ａ値の出力信号のカウントを開始し、予め設定された回数（係数Ａ）を取得する毎に、徐々にスクロール速度を加速する（ステップＴ４）。
【００８２】
ステップＴ３において、Ａ値の出力信号の取得回数におけるカウントアップを開始しないと判定すると（ステップＴ３；ＮＯ）、キー操作が深押しであると確定できるため、Ｂ値の出力信号についてカウントを開始し、予め設定された回数（係数Ｂ）を取得する毎に、徐々にスクロール速度を加速する（ステップＴ５）。
【００８３】
ステップＴ４において、Ａ値の出力信号を取得しカウントを開始する、又はステップＴ５において、Ｂ値の出力信号を取得しカウントを開始すると、ハイライト表示領域を拡大するか否かを判定する。（ステップＴ６）。ステップＴ６において、ハイライト表示領域を拡大しないと判定すると（ステップＴ６；ＮＯ）、スクロール速度変更処理のみを実行し、ハイライト表示領域の拡大はせず、処理を終了する。
【００８４】
一方、ステップＴ２又はステップＴ６において、ハイライト表示領域を拡大すると判定すると、（ステップＴ２、Ｔ６；ＹＥＳ）、Ａ値の表示領域に対するカウントアップを開始するか否かを判定する（ステップＴ７）。
【００８５】
ステップＴ７において、Ａ値の表示領域に対するカウントアップを開始すると判定すると（ステップＴ７；ＹＥＳ）、Ａ値の表示領域に対するカウントアップを開始し、表示係数Ａ´を取得する（ステップＴ８）。つまり、受信した出力信号の電圧値がＡ値である場合には、表示係数Ａ´を取得すると共に、Ａ値に設定されている拡大率に基づいて表示領域を拡大して表示するのである。Ｂ値も同様である。
【００８６】
ステップＴ７において、Ａ値の表示領域に対するカウントアップを開始しないと判定すると（ステップＴ７；ＮＯ）、キー操作が深押しであると確定できるため、Ｂ値の表示領域に対するカウントアップを開始し、表示係数Ｂ´を取得する。ステップＴ８又はステップＴ７において、それぞれ表示係数を取得すると、夫々に予め設定されている拡大倍率に基づいてハイライト表示領域を拡大して表示させ、処理を終了する。
【００８７】
以上のように、スクロール速度変更設定及び表示領域拡大設定は、ユーザの設定によりＯＮ、ＯＦＦすることができることにより、ユーザの自由度が向上する。
【図面の簡単な説明】
【００８８】
【図１】本実施形態に係る携帯型音声再生装置の概略構成の一例を示す正面図である。
【図２】図１の携帯型音声再生装置の操作キーの概略構成の一例を示す図である。
【図３】図１の携帯型音声再生装置の主要部構成を示すブロック図である。
【図４】押下操作によるスクロール速度の変化を示す図である。
【図５】本実施形態に係る携帯型音声再生装置の概略構成の一例を示す正面図である。
【図６】図５の携帯型音声再生装置の操作キーの概略構成の一例を示す図である。
【図７】スクロール処理時に表示される表示画面の一例を示す図である。
【図８】操作キーが押下された場合に、図１の携帯型音声再生装置で実行される処理を示すフローチャートである。
【図９】出力信号取得回数による、スクロール速度又はハイライト表示領域の変更処理を示すフローチャートである。
【符号の説明】
【００８９】
１  携帯型音声再生装置
２  筐体
３  操作部
４  基板
１０  制御部
１１  割り込みコントローラ
１２  通信部
１３  音声処理部
１４  Ｄ／Ａ変換器
１５  Ａ／Ｄ変換器
１９  出力端子
２０  入力端子
２１  記憶部
２２  表示部
２３  立設部
２４  押圧部
２５  接離部
２６  誘導体層
３０  操作キー
３１  上キー
３２  下キー
３３  左キー
３４  右キー
３５  中央キー
４１  接点群
４２  ＩＮ接点
４３  ＯＵＴ接点
【図１】
2007094978.tif 000003
【図２】
2007094978.tif 000004
【図３】
2007094978.tif 000005
【図４】
2007094978.tif 000006
【図５】
2007094978.tif 000007
【図６】
2007094978.tif 000008
【図７】
2007094978.tif 000009
【図８】
2007094978.tif 000010
【図９】
2007094978.tif 000011